(57)【要約】      （修正有）【課題】財布やカードケースの中に重なり合って入っている多くのカードを重なり合った側面から目視で確認するだけで、必要な１枚のカードを素早く認識し、他のカードと区別して取り出すことのできる識別機能付きカードを提供する。【解決手段】カード１１〜１５の表面及び裏面を除く４側面部Ｙ１〜Ｙ５、並びに、これらの側面部が互いに接する４隅部Ｘ１〜Ｘ５に限定された長さを有する色帯を付与し、当該色帯の色彩・位置・個数の組み合わせにより、カードの種類・発行元・その他の情報をカードの側面から目視で容易に識別して、他のカードと区別することができる。【選択図】図５
0003226549.tif 000002
【実用新案登録請求の範囲】
【請求項１】
カードの表面及び裏面を除く４側面部、並びに、これらの側面部が互いに接する４隅部に限定された長さを有する色帯を付与し、
当該色帯の色彩・位置・個数の組み合わせにより、カードの種類・発行元・その他の情報をカードの側面から目視で容易に識別して、他のカードと区別することのできる識別機能付きカード。
【請求項２】
前記カードの４隅部に付与された色帯の色彩により、当該カードの種類を識別すると共に、
前記カードの４側面部に付与された色帯の個数により、当該カードの発行元を識別することを特徴とする請求項１に記載の識別機能付きカード。
【考案の詳細な説明】
【技術分野】
【０００１】
本考案は、クレジットカード、ポイントカードなどのカード類の種類と発行元などの情報を目視で容易に識別することのできる識別機能付きカードに関するものである。
【背景技術】
【０００２】
日常生活において、クレジットカード、銀行カード、ポイントカード、交通カード、メンバーカードなど多種多様のカード類を使用する機会が多い。そのため、財布やカードケースの中には多くのカードが重なり合って入っており、使用時に必要なカードを取り出す際に間違って取り出してしまい、時間を要してしまうという問題がある。
【０００３】
また、財布にカード用ポケットがついたものもあり、カードの表面を目視で認識できるが、枚数に制限があり十分な効果を発揮できていない。また、専用のカードケースには、透明ケースを複数枚綴じ合わせて各カードの表面を目視で確認できるものもあるが、分厚くなって嵩張るという問題がある。このような問題を解決できる提案は、これまで成されてこなかった。
【考案の概要】
【考案が解決しようとする課題】
【０００４】
そこで、本考案は、以上のことに対処して、財布やカードケースの中に重なり合って入っている多くのカードを重なり合った側面から目視で確認するだけで、必要な１枚のカードを素早く認識し、他のカードと区別して取り出すことのできる識別機能付きカードを提供することを目的とする。
【課題を解決するための手段】
【０００５】
上記課題の解決にあたり、本考案者は、鋭意研究の結果、カードの側面に着目し、この部分を識別する方法として彩色の仕方を工夫することにより、上記目的を達成できることを見出し本考案の完成に至った。
【０００６】
即ち、本考案に係る識別機能付きカード（１１〜１５）は、請求項１の記載によると、
カードの表面及び裏面を除く４側面部（Ｙ１〜Ｙ５）、並びに、これらの側面部が互いに接する４隅部（Ｘ１〜Ｘ５）に限定された長さを有する色帯を付与し、
当該色帯の色彩・位置・個数の組み合わせにより、カードの種類・発行元・その他の情報をカードの側面から目視で容易に識別して、他のカードと区別することができる。
【０００７】
また、本考案は、請求項２の記載によると、請求項１に記載の識別機能付きカードであって、
前記カードの４隅部に付与された色帯の色彩により、当該カードの種類を識別すると共に、
前記カードの４側面部に付与された色帯の個数により、当該カードの発行元を識別することを特徴とする。
【０００８】
なお、上記各手段の括弧内の符号は、後述する実施形態に記載の具体的手段との対応関係を示す。
【考案の効果】
【０００９】
上記構成によれば、本考案に係る識別機能付きカードは、カードの表面及び裏面を除く４側面部、並びに、これらの側面部が互いに接する４隅部に限定された長さを有する色帯を付与する。この色帯の色彩・位置・個数の組み合わせにより、カードの種類・発行元・その他の情報をカードの側面から目視で容易に識別することができる。その結果、他のカードと区別することができる。
【００１０】
このことにより、財布やカードケースの中に重なり合って入っている多くのカードを重なり合った側面から目視で確認するだけで、必要な１枚のカードを素早く認識し、他のカードと区別して取り出すことのできる識別機能付きカードを提供することができる。
【００１１】
また、上記構成によれば、カードの４隅部に付与された色帯の色彩により、当該カードの種類を識別する。更に、カードの４側面部に付与された色帯の個数により、当該カードの発行元を識別する。このことにより、上記作用効果をより具体的に且つ効果的に発揮することができる。
【図面の簡単な説明】
【００１２】
【図１】本実施形態に係る識別機能付きカードにおいて、４隅部に付与する色帯の色彩を例示する説明図である。
【図２】本実施形態に係る識別機能付きカードにおいて、４側面部に付与する色帯の個数を例示する説明図である。
【図３】本実施形態に係る識別機能付きカードをクレジットカードに適用した場合の概要図である。
【図４】本実施形態に係る識別機能付きカードを銀行カードに適用した場合の概要図である。
【図５】本実施形態に係る識別機能付きカードの複数を重ね合わせた場合の識別方法を説明する概要図である。
【考案を実施するための形態】
【００１３】
以下、本考案に係る識別機能付きカードを図面により具体的に説明する。なお、本考案は、下記の実施形態にのみ限定されるものではない。
【００１４】
本考案に係る識別機能付きカードは、カードの４側面部（表面及び裏面を除く）に付与した色帯の色彩と個数、及び、４側面部が互いに接する４隅部に付与した色帯の色彩によって、カードの種類・発行元・その他の情報を目視で識別する。なお、本実施形態においては、４隅部に付与した色帯の色彩でカードの種類を識別し、４側面部に付与した色帯の色彩と個数でカードの発行元を識別する。
【００１５】
まず、カードの種類の識別について説明する。図１は、本実施形態に係る識別機能付きカードにおいて、４隅部に付与する色帯の色彩を例示する説明図である。なお、図１はグレースケールで表示されているので、ここでは言葉で色彩について補足説明をする。
【００１６】
図１において、クレジットカードは、ブルー色帯１で特定する。銀行カードは、レッド色帯２で特定する。交通カードは、グリーン色帯３で特定する。ポイントカードは、ピンク色帯４で特定する。メンバーカードは、イエロー色帯５で特定する。
【００１７】
次に、カードの発行元の識別について説明する。図２は、本実施形態に係る識別機能付きカードにおいて、４側面部に付与する色帯の個数を例示する説明図である。なお、図２はグレースケールで表示されているので、ここでは言葉で色彩について補足説明をする。
【００１８】
上述のように、クレジットカードは、ブルー色帯で特定される。図２において、クレジットカードの発行元は、１つのブルー色帯でクレジット会社Ａを特定する。２つのブルー色帯でクレジット会社Ｂを特定する。３つのブルー色帯でクレジット会社Ｃを特定する。４つのブルー色帯でクレジット会社Ｄを特定する。５つのブルー色帯でクレジット会社Ｅを特定する。
【００１９】
同様にして、銀行カードは、レッド色帯で特定される。図２において、銀行カードの発行元は、１つのレッド色帯で銀行Ａを特定する。２つのレッド色帯で銀行Ｂを特定する。３つのレッド色帯で銀行Ｃを特定する。
【００２０】
同様にして、交通カードは、グリーン色帯で特定される。図２において、交通カードの発行元は、１つのグリーン色帯で交通会社Ａを特定する。２つのグリーン色帯で交通会社Ｂを特定する。以下、同様である。
【００２１】
本実施形態においては、上述の取り決めに従って、各社から発行されるカードに特定の色帯を付与するようにする。以下に、その具体例を説明する。
【００２２】
図３は、本実施形態に係る識別機能付きカードをクレジットカードに適用した場合の概要図である。上述のように、クレジットカードは、ブルー色帯で特定される。図３において、３枚のクレジットカードは、いずれも４隅部にブルー色帯が付与されている。なお、カードは、どのような向きで財布などに入れられるはわからないので、４隅部の全てに色帯を付与することが好ましい。
【００２３】
一方、４側面部のブルー色帯の個数は、クレジット会社によって異なっている。具体的には、クレジット会社Ａのクレジットカードは、４側面部に１つのブルー色帯が付与されている。クレジット会社Ｂのクレジットカードは、４側面部に２つのブルー色帯が付与されている。クレジット会社Ｃのクレジットカードは、４側面部に３つのブルー色帯が付与されている。なお、カードは、どのような向きで財布などに入れられるはわからないので、４側面部の全てに色帯を付与することが好ましい。
【００２４】
また、他の具体例を説明する。図４は、本実施形態に係る識別機能付きカードを銀行カードに適用した場合の概要図である。上述のように、銀行カードは、レッド色帯で特定される。図３において、３枚の銀行カードは、いずれも４隅部にレッド色帯が付与されている。
【００２５】
一方、４側面部のレッド色帯の個数は、銀行によって異なっている。具体的には、銀行Ａの銀行カードは、４側面部に１つのレッド色帯が付与されている。銀行Ｂの銀行カードは、４側面部に２つのレッド色帯が付与されている。銀行Ｃの銀行カードは、４側面部に３つのレッド色帯が付与されている。
【００２６】
次に、このように色帯を付与した複数のカードの使用状況について説明する。図５は、本実施形態に係る識別機能付きカードの複数を重ね合わせた場合の識別方法を説明する概要図である。図５においては、５枚の識別機能付きカード１１〜１５が重なり合った状態にある。従来は、５枚のカードは識別機能付きカードではない。従って、このような状態で財布などの中に入れられている場合、各カードの種類や発行元を確認するには、財布から全カードを取り出して１枚ずつその表面の記載を確認するしかなかった。
【００２７】
一方、図５においては、各識別機能付きカード１１〜１５の隅部Ｘ１〜Ｘ５に異なる色彩の色帯が付与されている（他の３か所の隅部も同様）。図５はグレースケールで表示されているので、ここでは言葉で色彩について説明する。
【００２８】
図５においては、隅部Ｘ１〜Ｘ５の色帯の色彩でカードの種類を識別する。具体的には、隅部Ｘ１にはブルー色帯が付与されており、クレジットカードと認識する。隅部Ｘ２にはレッド色帯が付与されており、銀行カードと認識する。隅部Ｘ３にはグリーン色帯が付与されており、交通カードと認識する。隅部Ｘ４にはピンク色帯が付与されており、ポイントカードと認識する。隅部Ｘ５にはイエロー色帯が付与されており、メンバーカードと認識する。
【００２９】
また、図５においては、側面部Ｙ１〜Ｙ５の色帯の色彩と個数でカードの発行元を識別する。具体的には、側面部Ｙ１には４つのブルー色帯が付与されており、クレジット会社Ｄと認識する。側面部Ｙ２には３つのレッド色帯が付与されており、銀行Ｃと認識する。側面部Ｙ３には１つのグリーン色帯が付与されており、交通会社Ａと認識する。側面部Ｙ４には５つのピンク色帯が付与されており、ポイントカード会社Ｅ（図３では説明していない）と認識する。側面部Ｙ５には３つのイエロー色帯が付与されており、メンバーカード会社Ｃ（図３では説明していない）と認識する。
【００３０】
以上説明したように、本考案によれば、財布やカードケースの中に重なり合って入っている多くのカードを重なり合った側面から目視で確認するだけで、必要な１枚のカードを素早く認識し、他のカードと区別して取り出すことのできる識別機能付きカードを提供することができる。
【符号の説明】
【００３１】
１…ブルー色帯、２…レッド色帯、３…グリーン色帯、
４…ピンク色帯、５…イエロー色帯、
１１〜１５…識別機能付きカード、
Ｘ１〜Ｘ５…隅部、Ｙ１〜Ｙ５…側面部。
【図１】
0003226549.tif 000003
【図２】
0003226549.tif 000004
【図３】
0003226549.tif 000005
【図４】
0003226549.tif 000006
【図５】
0003226549.tif 000007
【手続補正書】
【提出日】令和2年3月25日(2020.3.25)
【手続補正１】
【補正対象書類名】実用新案登録請求の範囲
【補正対象項目名】全文
【補正方法】変更
【補正の内容】
【実用新案登録請求の範囲】
【請求項１】
カードの表面及び裏面を除く４側面部、並びに、これらの側面部が互いに接する４隅部に限定された長さを有する色帯を付与し、
当該色帯の色彩・位置・個数の組み合わせにより、カードの種類・発行元をカードの側面から目視で容易に識別して、他のカードと区別することのできる識別機能付きカード。
【請求項２】
前記カードの４隅部に付与された色帯の色彩により、当該カードの種類を識別すると共に、
前記カードの４側面部に付与された色帯の個数により、当該カードの発行元を識別することを特徴とする請求項１に記載の識別機能付きカード。